(57)【要約】      （修正有）【課題】被検者の視機能の検査において視野の各領域に対する色ごとの感度を適切に検査できる装置及び方法を提供する。【解決手段】被検者に背景７中の１点６を注視させた状態でその注視点６の周辺領域に、被検者の色に関する視機能を検査するための視標５を、背景７の輝度が視標５の輝度の１０％小さい数値と１０％大きい数値の間に属する数値となるように表示させる。視標５は、予め定められた複数の測定点３００間でランダムに表示させる。各測定点３００において、被検者に視標５を知覚できたことの応答を求めて、その応答が無い場合には視標５を段階的に大きくし、応答が有る場合には視標５を段階的に小さくする。そして、測定点３００ごとに、知覚の可否を分ける視標５の大きさである閾値を複数回（例えば４回）得る。【選択図】図１
2018202090.tif 000002
【特許請求の範囲】
【請求項１】
被検者の色に関する視機能を検査するための視標を背景中に表示する手段であって前記背景の輝度が前記視標の輝度の１０％小さい数値と１０％大きい数値の間に属する数値となるように前記視標及び前記背景を表示する表示手段と、
被検者に前記表示手段の予め定められた一点を注視させた状態で視野中心の周辺領域又は視野中心に、被検者の知覚の可否を分ける前記視標の大きさである閾値が得られるよう前記視標を大きさを変えながら前記表示手段に表示させる表示制御手段と、
を備えることを特徴とする検査装置。
【請求項２】
前記表示制御手段は、前記視標を表示する点である測定点を切り替えながら各時点で１つの前記測定点に前記視標を表示させ、前記測定点ごとに前記視標の大きさを変化させることを特徴とする請求項１に記載の検査装置。
【請求項３】
前記表示制御手段は、前記視標を表示する点を測定点として、同一の前記測定点において複数の前記閾値が得られるように、前記視標の大きさの切り替えを繰り返すことを特徴とする請求項１又は２に記載の検査装置。
【請求項４】
被検者が前記視標を知覚できたことの応答を入力する入力手段を備えることを特徴とする請求項１〜３のいずれか１項に記載の検査装置。
【請求項５】
前記表示制御手段は、前記応答の入力が無い場合には前記視標を大きくし、前記応答の入力が有る場合には前記視標を小さくすることを特徴とする請求項４に記載の検査装置。
【請求項６】
前記表示制御手段は、前記応答の有りから無し又は無しから有りに切り替わる回数が２以上の所定回数となるまで、前記視標の大きさの切り替えを繰り返すことを特徴とする請求項５に記載の検査装置。
【請求項７】
被検者に背景中の１点を注視させた状態でその注視点の周辺領域又は注視点に、被検者の色に関する視機能を検査するための視標を、前記背景の輝度が前記視標の輝度の１０％小さい数値と１０％大きい数値の間に属する数値となるように提示し、
被検者に前記視標を知覚できたことの応答を求めて、その応答の有無に応じて前記視標の大きさを変化させることで、知覚の可否を分ける前記視標の大きさである閾値を得ることを特徴とする検査方法。
【請求項８】
前記視標を提示する点を測定点として、同一の前記測定点において前記閾値の測定を複数回行うことを特徴とする請求項７に記載の検査方法。
【発明の詳細な説明】
【技術分野】
【０００１】
本発明は、被検者の色に関する視機能を検査する装置及び方法に関する。
【背景技術】
【０００２】
網膜には赤、緑、青の３色を知覚する錐体細胞（Ｓ錐体、Ｍ錐体、Ｌ錐体）が多数配置されており、これにより人間の視機能は様々な色を知覚する機能を有している。したがって、人間の視野においても、ある色ではある領域が知覚できず、別の色では別の領域が知覚できないといったかたちの異常が起こり得る。そこで、本発明者は以前に色ごとの視野（色視野）の検査を行うことができる手法を提案した（特許文献１参照）。特許文献１の手法では、有彩色による色視野検査用の視標（グリッド等）を表示し、このとき視標と背景との輝度を同様な数値に合わせている。これによれば、輝度の違いの知覚ではなく色の違いの知覚が適切に検査できる。
【先行技術文献】
【特許文献】
【０００３】
【特許文献１】特許第５４３６７１２号公報
【発明の概要】
【発明が解決しようとする課題】
【０００４】
視野の各領域において色ごとに知覚しやすさを示した度合い（色ごとの感度）を検査することは、緑内障等の眼の疾患の早期発見に役立つと考えられる。特許文献１では、有彩色による視標としてグリッドを表示して、グリッドの全領域が正常に知覚できるか、一部の領域が正常に知覚できないかを検査することが開示されている。このグリッドによる検査よりも、視野の各領域に対する色ごとの感度を得るのに適した手法を提案することは、グリッドによる検査では発見できない眼の疾患を発見するのに有益である。
【０００５】
そこで、本発明は、視野の各領域に対する色ごとの感度を適切に検査できる装置及び方法を提供することを課題とする。
【課題を解決するための手段】
【０００６】
上記課題を解決するため、本発明の検査装置は、
被検者の色に関する視機能を検査するための視標を背景中に表示する手段であって前記背景の輝度が前記視標の輝度の１０％小さい数値と１０％大きい数値の間に属する数値となるように前記視標及び前記背景を表示する表示手段と、
被検者に前記表示手段の予め定められた一点を注視させた状態で視野中心の周辺領域又は視野中心に、被検者の知覚の可否を分ける前記視標の大きさである閾値が得られるよう前記視標を大きさを変えながら前記表示手段に表示させる表示制御手段と、
を備えることを特徴とする。
【０００７】
本発明よれば、被検者に表示手段の予め定められた一点を注視させた状態で視野中心の周辺領域又は視野中心に視標を大きさを変えながら表示させるので、視標の表示位置に対応する視野領域における、視標が知覚できるかできないかの閾値となる視標サイズを得ることができる。この閾値は、視標の色に対する感度に相関し、具体的には閾値が小さいほど感度が高いことを示す。また、視標と背景とが同様の輝度に合わせられるので、輝度の違いの知覚ではなく色の違いの知覚が適切に検査できる。
【０００８】
また、本発明において、前記表示制御手段は、前記視標を表示する点である測定点を切り替えながら各時点で１つの前記測定点に前記視標を表示させ、前記測定点ごとに前記視標の大きさを変化させる。
【０００９】
このように、測定点を切り替えながら各時点で１つの測定点に視標を表示させることで、１回の検査で、視野の各領域に対して色の感度を検査できるとともに、被検者の注視点が視標の方に移動してしまうのを抑制できる。
【００１０】
また、本発明において、前記表示制御手段は、前記視標を表示する点を測定点として、同一の前記測定点において複数の前記閾値が得られるように、前記視標の大きさの切り替えを繰り返す。このように、同一の測定点において複数の閾値を得ることで、測定点における色の感度を正確に評価できる。
【００１１】
また、本発明において、被検者が前記視標を知覚できたことの応答を入力する入力手段を備える。これによって、被検者がどのサイズの視標を知覚できたのか又はできなかったのかを特定しやすくでき、ひいては閾値を得やすくできる。
【００１２】
また、本発明において、前記表示制御手段は、前記応答の入力が無い場合には前記視標を大きくし、前記応答の入力が有る場合には前記視標を小さくする。このように、応答の有無に基づいて検査装置が自動で視標を変化させることで、検査実施者の負担を軽減できるとともに、閾値を得やすくできる。
【００１３】
また、本発明において、前記表示制御手段は、前記応答の有りから無し又は無しから有りに切り替わる回数が２以上の所定回数となるまで、前記視標の大きさの切り替えを繰り返す。これによって、閾値を複数（所定回数分）得ることができ、複数の閾値を得ることで、色の感度を正確に評価できる。
【００１４】
本発明の検査方法は、被検者に背景中の１点を注視させた状態でその注視点の周辺領域又は注視点に、被検者の色に関する視機能を検査するための視標を、前記背景の輝度が前記視標の輝度の１０％小さい数値と１０％大きい数値の間に属する数値となるように提示し、
被検者に前記視標を知覚できたことの応答を求めて、その応答の有無に応じて前記視標の大きさを変化させることで、知覚の可否を分ける前記視標の大きさである閾値を得ることを特徴とする。また、前記視標を提示する点を測定点として、同一の前記測定点において前記閾値の測定を複数回行う。これによって、上記本発明の検査装置と同様の効果を得ることができる。
【図面の簡単な説明】
【００１５】
【図１】第１実施形態の検査画面を示した図である。
【図２】検査装置のブロック図である。
【図３】制御部が実行する処理（検査手順）を示したフローチャートである。
【図４】背景輝度に応じた色視力の検査結果の例を示す図である。
【図５】視野検査を実際に行った際の測定点を示した図である。
【図６】視標色が赤色の場合における検査結果を示した図である。
【図７】視標色がブルーパープルの場合における検査結果を示した図である。
【図８】第２実施形態の検査画面を示した図である。
【発明を実施するための形態】
【００１６】
（第１実施形態）
以下、本発明の第１実施形態を図面を参照しつつ説明する。本実施形態では、図１に示すように、被検者に画面３１の前に位置させた状態で、画面３１に基準点６を表示させ、被検者にその基準点６を片目で注視させる。そして、基準点６を注視した被検者の視野中心（基準点６）の周辺領域に、特定の有彩色に着色された視標５を表示させる。そして、時間経過に伴って視標５の表示位置を、予め定められた複数の測定点３００間でランダムに変化させる。このとき、各時点において視標５を１つのみ表示させる。また、視標５の表示中はその表示位置はいずれかの測定点３００に固定とされている。ある測定点３００から別の測定点３００に表示位置が変わる場合には、視標５を一旦消したうえで視標５の表示位置を変える。
【００１７】
図１では、測定点３００の個数が１６点の例を示している。これら１６個の測定点３００は、基準点６を中心にして、縦４列、横４列に配置されるように定められる。例えば、被検者の眼が画面３１から所定距離（例えば３０ｃｍ）離された状態で、隣り合う測定点３００間の視覚が所定角度（例えば１度）となるように、測定点３００間の間隔が定められる。
【００１８】
また、被検者に、視標５を知覚できたことの応答を求め、この応答が無い場合には、視標５のサイズ（大きさ）を段階的に大きくしていく。一方、視標５を知覚できたことの応答があった場合には、視標５のサイズを段階的に小さくしていく。そして、測定点３００ごとに、応答有りから無しに又は応答無しから有りに切り替わる回数が所定回数（例えば４回）になるまで、視標５のサイズ変更を繰り返す。つまり、測定点３００ごとに、視標５の知覚の可否を分ける閾値となる視標サイズを所定回数分得るようにする。
【００１９】
また、視標５をランダムに表示させている間に、視標５の表示に代えて、基準点６を注視している被検者にとって知覚できない盲点位置にダミー視標８を時々表示させる。そして、ダミー視標８の表示に対して被検者から応答があった場合には、その被検者の視線は基準点６から外れている可能性があるとして、例えば今回の検査の信頼性は低いと判定して再検査を行う。
【００２０】
さらに、画面３１の背景７は、視標５とは異なる色（例えば黒色、灰色、白色等の無彩色）とするとともに、視標５と背景７とを同様の輝度（具体的には、背景７の輝度が視標５の輝度の１０％小さい数値と１０％大きい数値の間に属する）に合わせる。ここで、色の３属性（明度、彩度、色相）のうちで明度だけを有する色が無彩色であり、無彩色でない色が有彩色である。また、色の輝度とは、Ｘ、Ｙ、Ｚの３刺激値のうちのＹ値をいう。
【００２１】
図４には、視標５と背景７とを同様の輝度にすることの根拠となるデータが示されている。詳しくは、図４には、複数の被検者に対して赤（Ｒ）、黄赤（ＹＲ）、赤黄（ＲＹ）、黄（Ｙ）、緑黄（ＧＹ）、黄緑（ＹＧ）、緑（Ｇ）、青緑（ＢＧ）、緑青（ＧＢ）、青（Ｂ）、紫青（ＰＢ）、青紫（ＢＰ）、紫（Ｐ）、赤紫（ＲＰ）、紫赤（ＰＲ）の各色の色視力の計測を行ったときの計測結果の例が示されている。横軸が各色、縦軸が視力の対数プロット（右縦軸が視力の平均値、左縦軸が視力の標準偏差値）である。
【００２２】
この視力検査は、ランドルト環を横軸に示す各色で彩色し、背景色は白色点Ｄ６５として行った。その際、ランドルト環の色の輝度は１平方メートル当たり３０カンデラとし、背景色の輝度は１平方メートル当たり１００カンデラと３０カンデラの２通りを用いた。背景色の輝度が１平方メートル当たり１００カンデラの場合のプロット、３０カンデラの場合のプロットがそれぞれ図示上側、図示下側に示されている。
【００２３】
図示よりあきらかに背景色の輝度が１平方メートル当たり１００カンデラの場合には各色の視力（色視力）はほぼ同じであるとの結果がでたが、背景色の輝度が１平方メートル当たり３０カンデラの場合には各色の色視力は顕著に異なっている。具体的には、Ｒ（赤）やＧＢ（緑青）など、およびその近傍（色度図上での近傍）の色では色視力が相対的に高いのに対して、ＧＹ（緑黄）やＢＰ（青紫）やその近傍の色では色視力が相対的に低い。背景色の輝度が１平方メートル当たり１００カンデラの場合はランドルト環と背景とで輝度が明確に異なっており、背景色の輝度が１平方メートル当たり３０カンデラの場合はランドルト環と背景とが等輝度である。
【００２４】
したがって両結果を比較すると、ランドルト環の輝度と背景の輝度が明確に異なる場合には、被検者はランドルト環と背景との色の相違を知覚できていなくても輝度の相違を知覚することによってランドルト環の向きを認識しており、これにより各色の色視力がほぼ同じとなっていると考えられる。これに対してランドルト環の輝度と背景の輝度が同じ場合には、被検者がランドルト環と背景と色の相違をどれだけ知覚しているかが検査結果に正確に反映することとなり、これにより各色ごとに色視力が異なっていると考えられる。
【００２５】
この知見、すなわち検査視標と背景の輝度を同様にすることが色視力の検査に有効であるとの知見の適用範囲はあきらかに色視力検査に限定されるべきものでなく、色視野の検査にも有効な知見だと考えられる。そこで本実施形態の視機能検査においてもこの知見を活用し、図１において視標５と背景７とを同様の輝度とする。
【００２６】
上記したように、図１の検査では、測定点３００ごとに、視標５の知覚の可否を分ける視標サイズ（閾値）を得ることができる。この閾値は、視標５の色に対する知覚しやすさ（感度）に相関し、具体的には閾値が小さいほど感度が高いことを示している。つまり、図１の検査では、各測定点３００に対応する視野領域ごとに、視標５の色に対する感度を定量的に検査できる。また、各測定点３００に対して、知覚の可否を分ける閾値を複数得ることできるので、例えば得られた複数の閾値を平均することで、測定誤差を低減した形で色の感度を検査できる。
【００２７】
また、図１の検査は複数回行われ、それら複数回の検査間で視標５の色を異ならせる。例えば、図４のデータで示された１５色（赤（Ｒ）、黄赤（ＹＲ）、赤黄（ＲＹ）、黄（Ｙ）、緑黄（ＧＹ）、黄緑（ＹＧ）、緑（Ｇ）、青緑（ＢＧ）、緑青（ＧＢ）、青（Ｂ）、紫青（ＰＢ）、青紫（ＢＰ）、紫（Ｐ）、赤紫（ＲＰ）、紫赤（ＰＲ））のそれぞれに対して図１の検査を行っても良いし、光の３原色である赤、緑、青に対して検査を行っても良いし、図４の１５色の中で特に知覚しづらい色（具体的にはＧＹ、ＢＰ）に対して検査を行っても良い。また、図１の検査は、片目ずつ行われる。
【００２８】
ここで、本発明者は、眼に疾患が無い正常者と眼に何らかの異常を有した者に対して、視標の表示点（測定点）をいくつか変えたときの、視標の知覚の可否を分ける視標サイズ（閾値）を得る検査（つまり、図１と同様の検査）を行った。ここで、図５はこの検査における測定点３０１を示している。図５において軸の単位は視角［°］である。図５に示すように、測定点３０１は、水平方向及び垂直方向にそれぞれ視角が１°、３°、−１°、−３°となる１６点の位置に設定した。また、図１の検査と同様に、視標と背景とを同様の輝度にするとともに、視標色が赤色の場合と、ブルーパープルの場合のそれぞれで検査を行った。
【００２９】
図６、図７は検査結果を示している。具体的には、図６は視標色を赤色とした場合の検査結果を示している。図７は視標色をブルーパープルとした場合の検査結果を示している。図６、図７では、眼に何らかの異常を有した者としてＡ、Ｂ、Ｃ、Ｄの４人の結果をそれぞれ示している。図６、図７において、横軸は測定点３０１（図５参照）の位置を、［水平方向の視覚］＊［垂直方向の視覚］として示している。例えば、「１＊１」は、図５において水平方向の視覚が１°、垂直方向の視覚が１°の位置の測定点３０１における結果を示している。また、図６、図７の縦軸は、視標の知覚の可否を分ける視標サイズ、つまり閾値を示しており、軸の上ほど閾値が大きいことを示している。また、図６の被検者Ａの結果は右眼における結果を示し、図６の被検者Ｂ―Ｄ、図７の被検者Ａ−Ｄの結果は、右眼、左眼のそれぞれを示している。また、図６、図７において、○の点は、正常者の閾値の平均値を示している。
【００３０】
図６、図７に示すように、検査結果は、正常者と眼に何らかの異常（緑内障等）を有した者のどちらも、視標の表示点（図５の測定点３０１）が視野中心から遠くなるほど、視標を知覚できるサイズが大きくなるという傾向を示した。しかし、眼に異常を有した者Ａ−Ｄに対する検査結果は、正常者の検査結果（○の点）と違う傾向を示し、具体的には、正常者の検査結果に比べて全体的に視標を知覚できるサイズが大きいという傾向を示した。また、正常者、眼に異常を有した者のどちらも、視標の表示点が同一であっても、色の違いによって視標を知覚できるサイズが変わってくることを示し、具体的には、視標色が赤色の場合に比べて、ブルーパープルのほうが視標を知覚できるサイズが大きいという傾向を示した。さらに、眼に異常を有した者Ａ−Ｄに対する結果では、正常者の結果に比べて、視標の表示点が変わることによる閾値の変動が大きいことを示した。
【００３１】
以上の検査結果より、図１の検査は、正常者と緑内障等の眼の疾患を有した者との間で異なる検査結果を示し、正常者の検査結果と、眼の疾患を有した者の検査結果の違いや、疾患の種類ごとの検査結果の違いを予め調査しておくことで、色ごとの視野の異常を早期に発見できたり、緑内障等の眼の疾患を早期に発見できたり、眼の疾患の進行度合いを正確に診断できたりすることが期待できる。
【００３２】
なお、緑内障の従来の検査としては、ハンフリー視野計やＯＣＴ（Ｏｐｔｉｃａｌ  Ｃｏｈｅｒｅｎｃｅ  Ｔｏｍｏｇｒａｐｈｙ、光干渉断層像）による検査（網膜の断面画像による検査）がある。ハンフリー視野計の検査では、白色光を照射した背景中に、その背景の光よりも強い白色光を視標として照射し、その視標の位置及び明るさを変えて、被検者に基準点を注視させた状態で視標が知覚できたことの応答を求めるというものである。緑内障の発見という点では、ハンフリー視野検査よりもＯＣＴ検査のほうが早期に緑内障を発見できる。また、ハンフリー視野検査では、白色光の背景中に白色光の視標を表示するので、異なる色を知覚する３種の錐体（Ｓ錐体、Ｍ錐体、Ｌ錐体）のうちいずれかに異常があったとしても、他の錐体が正常であれば視標を知覚できてしまう。以上より、ハンフリー視野検査は、緑内障の検査として必ずしも精度が高いとはいえない。
【００３３】
これに対し、図１の検査では、有彩色の視標５を背景７の輝度と同様にして表示するものであるので、測定点３００ごとに色の違いによる視標５の知覚の可否を適切に検査できる。そして、３種の錐体のいずれかに異常がある場合には、異常の錐体が知覚しやすい色の視標５で検査を行うことで、異常の錐体があることを捉えることができる。これにより、色ごとの視野の異常や緑内障などの眼の疾患を早期に発見できたり、疾患の進行度合いを正確に判定できる。
【００３４】
図１の検査は図２の検査装置１により行われる。検査装置１は、表示部３、入力部４及びこれらに接続した制御部２を備えている。表示部３は、例えば液晶ディスプレイのように電力が供給されて発光する部分（例えば液晶のバックライト）を備えて構成される。表示部３は、図１の表示を行う画面３１を備えている。つまり、表示部３は、画面３１の背景７中に視標５を表示するとともに、視標５と背景７とを同様の輝度にして表示する。なお、視標５及び背景７の輝度を分光放射輝度計などにより計測を行い、視標５の輝度計測値と背景７の輝度計測値とを比較することで、視標５の輝度と背景７の輝度とが同様か否かを判断できる。そして、視標５の輝度と背景７の輝度とが異なっている場合には、視標５の輝度と背景７の輝度の少なくとも一方を変えて、再度、輝度計測を行うという手順を、視標５の輝度と背景７の輝度とが同様になるまで繰り返せばよい。なお、表示部３は、視標５と背景７とを同様の輝度にすることができるものであれば、ヘッドマウント型のディスプレイなど、どのようなディスプレイであっても良い。なお、表示部３が本発明の表示手段に相当する。
【００３５】
入力部４は、被検者により操作が行われる操作部として構成されており、視標５を知覚できたことの信号の入力を行う部分である。入力部４は、例えば被検者に把持される把持部と、その把持部を把持した状態で被検者の親指により押下操作が行われる操作部とを有する。なお、入力部４が本発明の入力手段に相当する。
【００３６】
制御部２は、通常のコンピュータと同様の構造を有し、ＣＰＵ２１、ＲＡＭ２２及びＲＯＭ２３を備える。ＣＰＵ２１は各種演算を実行し、ＲＡＭ２２はＣＰＵ２１のための作業領域として機能する揮発性の記憶部である。ＲＯＭ２３は本発明に関係するプログラムやデータを記憶する不揮発性の記憶部である。なおＲＯＭ２３は、ハードディスクなど他の形態の不揮発性記憶部でもよい。
【００３７】
制御部２は、本発明の表示制御手段に相当し、表示部３の表示を制御したり、入力部４からの応答信号を取得してそれに応じた処理を実行したりする。以下、図３を参照して、制御部２が実行する処理を説明する。図３の処理は、表示部３の画面３１から所定距離（例えば３０ｃｍ）に被検者の眼が位置するように被検者を位置させ、かつ、被検者に入力部４を把持させた状態で行われる。なお、図３の処理のプログラムはＲＯＭ２３に記憶されている。
【００３８】
図３の処理を開始すると、制御部２（ＣＰＵ２１）は、先ず、視標５の知覚の可否を分ける視標サイズである閾値の測定回数を示した変数ｎを０とする（Ｓ１）。この変数ｎは測定点３００ごとに定められ、Ｓ１では、各測定点３００の変数ｎをそれぞれ０とする。次に、図１に示すように、画面３１の中心に基準点６を表示させる（Ｓ２）。この基準点６を被検者に片方の眼で注視させる。
【００３９】
以降、画面３１の、基準点６の周辺領域にランダムに視標５を表示させる。詳しくは、複数の測定点３００のうちのいずれかに視標５を表示させる（Ｓ３）。このとき、視標５と背景７との輝度が同様となるように、それら視標５、背景７を表示させる。なお、視標５の形状は特に限定はないが、例えば円形とする。また、視標５の初期サイズは特に限定なないが、例えば、予め定められた複数段階のサイズのうちの最小サイズとする。また、視標５を最初に表示させる位置は、複数の測定点３００のうちのいずれであっても良い。
【００４０】
次に、今回の測定点３００に対する視標５の表示時間が所定時間を経過したか否かを判断する（Ｓ４）。この前提として、制御部２は、内部にタイマーを備えており、そのタイマーにより、今回の測定点３００に視標５の表示を開始してからの経過時間（視標５の表示時間）を計測する。視標５の表示時間が所定時間に達しない場合には（Ｓ４：Ｎｏ）、待機して、当該測定点３００における視標５の表示を継続させる。
【００４１】
視標５の表示時間が所定時間に達した場合には（Ｓ４：Ｙｅｓ）、視標５の表示中に入力部４からの応答信号の入力が有ったか否かを判断する（Ｓ５）。応答が無い場合には（Ｓ５：Ｎｏ）、今回の測定点３００における視標サイズの変更方向を段階的に大きいサイズとなる方向に設定する（Ｓ６）。設定したサイズ変更方向（段階的に大きいサイズとなる変更方向）を、今回の測定点３００に対応付けてＲＡＭ２２に記憶する。
【００４２】
次に、今回の測定点３００において前回に視標５を表示したときには応答が有り、今回の表示では応答が無しであったか否かを判断する（Ｓ７）。つまり、応答有りから無しに変化したのか、それとも、前回も応答無しであったかを判断する。前回は応答有りで今回は応答無しの場合、つまり応答有りから無しに変化した場合には（Ｓ７：Ｙｅｓ）、今回の視標サイズを閾値として、今回の測定点３００に対応付けてＲＡＭ２２やＲＯＭ２３に記憶する（Ｓ１２）。そして、今回の測定点３００における変数ｎを１増加させる（Ｓ１３）。つまり、ｎ＝ｎ＋１とする。そして、全ての測定点３００に対して変数ｎが所定値Ｃ（Ｃは２以上の整数。例えば４）に達したか否かを判断する（Ｓ１４）。全ての測定点３００に対して変数ｎが所定値Ｃに達した場合には（Ｓ１４：Ｙｅｓ）、図３の処理を終了する。変数ｎが所定値Ｃに達していない測定点３００が１つでもある場合には（Ｓ１４：Ｎｏ）、Ｓ１５の処理に移行する。
【００４３】
また、Ｓ７において、前回も応答が無い場合、つまり応答有りから無しに変化しない場合（応答無しが継続中の場合）には（Ｓ７：Ｎｏ）、Ｓ１５の処理に移行する。
【００４４】
一方、Ｓ５において応答が有った場合には（Ｓ５：Ｙｅｓ）、その応答が盲点に表示したダミー視標８（図１参照）に対する応答か否かを判断する（Ｓ８）。ダミー視標８に対する応答の場合には（Ｓ８：Ｙｅｓ）、その応答が有ったことを示したフラグをオンにしたり、その応答の回数を示した変数を１加算してＲＡＭ２２やＲＯＭ２３に記憶したりする（Ｓ９）。その後、図１５の処理に移行する。
【００４５】
一方、ダミー視標８に対する応答ではない場合、つまり視標５に対する応答の場合には（Ｓ８：Ｎｏ）、今回の測定点３００における視標サイズの変更方向を段階的に小さいサイズとなる方向に設定する（Ｓ１０）。設定したサイズ変更方向（段階的に小さいサイズとなる変更方向）を、今回の測定点３００に対応付けてＲＡＭ２２に記憶する。
【００４６】
次に、今回の測定点３００において前回に視標５を表示したときには応答が無く、今回の表示では応答が有りであったか否かを判断する（Ｓ１１）。つまり、応答無しから有りに変化したのか、それとも、前回も応答有りであったかを判断する。前回は応答無しで今回は応答有りの場合、つまり応答無しから有りに変化した場合には（Ｓ１１：Ｙｅｓ）、今回の視標サイズを閾値として、今回の測定点３００に対応付けてＲＡＭ２２やＲＯＭ２３に記憶する（Ｓ１２）。その後、上述のＳ１３、Ｓ１４の処理を実行する。
【００４７】
一方、Ｓ１１において、前回も応答が有る場合、つまり応答無しから有りに変化しない場合（応答有りが継続中の場合）には（Ｓ１１：Ｎｏ）、Ｓ１５の処理に移行する。
【００４８】
Ｓ１５の処理では、視標５の表示位置を別の測定点３００に切り替える。このとき、視標５の表示位置がランダムであることを示すために、例えば、視標５の表示位置の切り替え前後で測定点３００が隣り合わないようにする。また、Ｓ１５の処理では、視標５のサイズを測定点３００ごとに段階的に変更させながら、視標５の切り替えを行う。具体的には、測定点３００ごとに前回に視標５を表示したときの視標５のサイズ（前回サイズ）をＲＡＭ２２に記憶しておき、今回の表示では、視標５のサイズを、記憶しておいた前回サイズより１段階大きい又は小さいサイズに変更する。このとき、Ｓ６の処理でサイズ変更方向を段階的に大きくする方向に設定した測定点３００に表示位置を切り替える場合には、Ｓ１５の処理では、前回のサイズから１段階大きいサイズの視標５を表示させる。他方、Ｓ１０の処理でサイズ変更方向を段階的に小さくする方向に設定した測定点３００に表示位置を切り替える場合には、Ｓ１５の処理では、前回のサイズから１段階小さいサイズの視標５を表示させる。
【００４９】
なお、視標５を知覚できたことの応答は測定点３００ごとに行われるので、異なる測定点３００間では、視標５のサイズやサイズ変更の方向に関連性はない。つまり、例えば視標５のサイズが１０段階（段数が大きいほどサイズが大きいことを示す）に切り替わるとして、ある測定点３００（第１の測定点）では前回に５段目のサイズの視標５を表示し、今回は１段サイズを大きくして６段目のサイズに変更したとしても、別の測定点３００（第２の測定点）においては、第１の測定点における前回の視標サイズである５段目とは異なるサイズ（例えば７段目）の視標５を前回に表示して、今回は１段サイズを小さくする場合もあり得る。
【００５０】
また、Ｓ１５の処理では、視標５の表示に代えて、基準点６を注視している状態では知覚できない予め定められた盲点位置にダミー視標８（図１参照）を時々表示させる。
【００５１】
なお、Ｓ１５の処理で測定点３００を変更したとしても、視標５及び背景７の輝度は変化させない。
【００５２】
Ｓ１５の後、Ｓ４に戻って、切替後の測定点３００に対して上記した各処理Ｓ４〜Ｓ１４を実行する。
【００５３】
このように、図３の処理では、所定時間経過する度に視標５の表示位置をランダムに切り替えるとともに、測定点３００ごとに、応答が無い間は段階的に視標サイズを大きくする一方で、応答が有る間は段階的に視標サイズを小さくする。そして、測定点３００ごとに、応答無しから有りに切り替わる、又は応答有りから無しに切り替わる視標サイズを閾値として測定し、この閾値測定を所定回数だけ行う。
【００５４】
制御部２は、図３の処理により得られた測定結果（具体的には測定点３００ごとの所定回数分の閾値）を例えば表示手段や印刷手段等で出力する。また例えば、制御部２は、所定回数分の閾値の平均値を出力しても良い。また、制御部２は、ダミー視標８に対する応答の有無や応答回数も出力する。検査実施者（医師など）は、検査装置１から出力された測定結果に基づいて、色ごとに視野内に見えにくい領域が有るか否かや、緑内障等の眼の疾患の有無や進行度合いなどを判断する。また、検査実施者は、例えばダミー視標８に対する応答の有無や応答回数に基づいて、今回の検査の信頼性を判断し、信頼性が低い場合には、再検査を行う。
【００５５】
以上説明したように、本実施形態によれば、視標５と背景７とを同様の輝度にしたうえで、視野内の各領域に有彩色の視標５をサイズを変えながら表示し、知覚の可否を分ける視標サイズを閾値として得るので、視野の各領域ごとに、色ごとの感度（閾値）を定量的にかつ適正に検査できる。また、予め定められた複数の測定点３００間でランダムに視標５を表示するので、どこに視標５が表示されるのかを被検者に予測されてしまうのを抑制できる。これにより、視標５の表示位置に被検者の注視点が移動してしまうのを抑制でき、検査の信頼性が低下しまうのを抑制できる。また、本実施形態では、測定点３００ごとに複数回の閾値測定を行うので、測定誤差を抑制した形で色に対する感度を評価できる。また、本実施形態では、入力部４による応答の有無に応じて視標サイズを大きくするか小さくするかを決定するので閾値が得られるまでの時間を短くできる。
【００５６】
（第２実施形態）
次に、本発明の第２実施形態を上記実施形態と異なる部分を中心に説明する。図８に示すように、本実施形態では、画面３１の中心を囲むように複数（図８では４つ）の点６１を表示し、これら点６１で囲まれた領域を被検者に注視させる。その注視領域（中心領域）を測定点として注視領域に特定の有彩色の視標５を表示させる。このとき、第１実施形態と同様に、背景７は視標５と異なる色（例えば無彩色）にするとともに、視標５と背景７とを同様の輝度にする。さらに、視標５のサイズを所定時間経過する度に段階的に変化させる。具体的には、知覚できたことの応答が無い場合には応答が有るまで視標５のサイズを段階的に大きくする一方で、応答が有る場合には応答が無しになるまで視標５のサイズを段階的に小さくする。つまり、知覚の可否を分ける視標５のサイズである閾値を測定する。そして、第１実施形態と同様に、この閾値測定を複数回（例えば４回）行う。また、図８の検査は、例えば図４の１５色の中で特に知覚しづらい色（具体的にはＧＹ、ＢＰ）に対して行われるが、他の色に対して行われたとしても良い。
【００５７】
図８の検査は図１の検査装置１により行われる。このとき、図３のＳ２では、図８の点６１を表示させる。Ｓ３では、点６１で囲まれた領域に視標５を表示させる。また、本実施形態では測定点は１つしかないので、Ｓ１４では、中心の測定点に対して変数ｎが所定値Ｃに達したか否かを判断する。Ｓ１５では、中心の測定点での視標サイズを変更する。
【００５８】
このように、本実施形態では、視野中心の色ごとの感度（色ごとの視力）を定量的にかつ適正に評価できる。視野中心の色ごとの感度に基づいて、緑内障等の眼の疾患を早期に発見できたり、疾患の進行度合いを正確に評価できる。
【００５９】
（他の実施形態）
なお、本発明は上記実施形態に限定されるものではなく、特許請求の範囲の記載を逸脱しない限度で種々の変更が可能である。例えば上記第１実施形態では、複数の測定点間で視標をランダムに表示させることで、同時並行的に各測定点での閾値を測定する例を示したが、１つの測定点ずつ閾値測定を行っても良い。具体的には、複数の測定点のうち閾値測定を行う測定点を選択して、この測定点（以下、対象測定点という）において視標を段階的に変化させる。対象測定点での閾値測定を行っている間は、他の測定点での視標表示及び閾値測定は行わない。そして、対象測定点での閾値測定が終了した場合には、対象測定点を別の測定点に切り替え、以降、切り替えた後の対象測定点に対して閾値測定を行う。この手順を、全ての測定点に対して閾値が得られるまで繰り返す。
【００６０】
また、上記第１実施形態では、入力部４により応答の有無に応じて、次に表示する視標サイズを大きくするか小さくするかを決定していたが、応答の有無にかかわらず視標サイズを段階的に変化させても良い。具体的には、各測定点において、視標を最小サイズから最大サイズまで、又は最大サイズから最小サイズまで段階的に変化させていき、この間の応答の有無を記録する。この際、応答無しから有りに、又は応答有りから無しに変わったとしても、視標サイズの変化方向を切り替えずに、最大サイズまで又は最小サイズまで変化させる。これによっても、応答の有無が切り替わる視標サイズである閾値を得ることができる。そして、この閾値測定を測定点ごとに複数回行うことで、測定点ごとに複数の閾値を得ることができる。また、各測定点において、視標を最小サイズから段階的に大きくしていき応答無しから有りに変化した時点で（つまり最大サイズまで変化させないで）、又は視標を最大サイズから段階的に小さくしていき応答有りから無しに変化した時点で（つまり最小サイズまで変化させないで）１回の閾値測定を終了しても良い。これによっても、閾値を得ることができる。
【００６１】
また、１つの測定点ずつ閾値測定を行う場合や、第２実施形態の視野中心での閾値測定を行う場合は、視標サイズの切り替え中も視標を表示し続けても良い。つまり、視標を常時表示しつつ、応答が無い間は視標を次第に大きくしていき、応答が有る間は視標を次第に小さくしていくように、視標のサイズ変更を行っても良い。
【００６２】
また、図１の例では測定点の個数が１６個の例を示したが、測定点の個数は１６個以外の個数であっても良い。また、上記実施形態では、円形の視標を例示したが、視標は多角形（四角形）、楕円などでもよく、図柄、絵柄（動物、植物、食べ物など）などでもよい。図柄、絵柄などは被検者が子供の場合に特に好適となる。
【００６３】
また、上記実施形態では、有彩色の視標を表示する例を示したが、無彩色の視標を表示しても良い。この場合は、無彩色の色感度を測定できる。また、背景は、視標と異なる色であれば、無彩色でも有彩色でも良い。
【００６４】
また、上記実施形態では、視標の表示点が制御部により自動的に切り替わる例を示したが、検査実施者（医師など）が視標の表示点や切替タイミングを選択できるように構成しても良い。また、視標を知覚できたことを被検者に口頭で応答させるようにしても良い。
【符号の説明】
【００６５】
１  検査装置
２  制御部（表示制御手段）
３  表示部（表示手段）
３１  表示部の画面
４  入力部（入力手段）
５  視標
６  基準点
７  背景
８  ダミー視標
３００  測定点
【図１】
2018202090.tif 000003
【図２】
2018202090.tif 000004
【図３】
2018202090.tif 000005
【図４】
2018202090.tif 000006
【図５】
2018202090.tif 000007
【図６】
2018202090.tif 000008
【図７】
2018202090.tif 000009
【図８】
2018202090.tif 000010